(57)【要約】【課題】使用者の利き手が左右いずれであっても利き手により取出しの利便性が左右されることがない振出容器を提供する。【解決手段】内部に錠剤収容空間３を備えたハウジング２と、ハウジングの外周側壁に開口して形成された錠剤取出口４と、ハウジング内に収容される錠剤５を錠剤取出口へ送り出す錠剤送出機構２０を備えている。錠剤送出機構は、切欠き３３の一端の周壁始端１３に設けられた枢着部２８に枢着され傾動する操作部２１と、操作部を外方に向けて付勢し、かつ、操作部を押圧操作することにより錠剤送出機構を休止位置から錠剤取出位置に移行させる付勢部２２と、付勢部と協動して錠剤を錠剤取出位置まで送り出す送出部２３と、ハウジングに形成され回動する蓋部の回動軸を形成する短軸２６と、短軸を中心として回動し、錠剤取出口を開閉する蓋部２４とを含んで構成される。送出部と蓋部とで形成される凹部は錠剤振出スペース２５を形成する。【選択図】図６
0003163525.tif 000002
【実用新案登録請求の範囲】
【請求項１】
内部に錠剤収容空間を備えたハウジングと、該ハウジングの外周側壁に開口して形成された錠剤取出口と、前記ハウジングの外周側壁における前記錠剤取出口の形成位置の反対側の位置に形成された切欠きと、前記ハウジング内に収容される錠剤を前記錠剤取出口へ送り出す錠剤送出機構を備えた振出容器であって、
前記錠剤送出機構は、前記切欠きの一端に枢着され傾動する操作部と、該操作部を外方に向けて付勢し、かつ、前記操作部を押圧操作することにより前記錠剤送出機構を休止位置から錠剤取出位置に移行させる付勢部と、該付勢部と協動して錠剤を錠剤取出位置まで送り出す送出部と、前記ハウジングに形成され回動する蓋部の回動軸を形成する短軸と、該短軸を中心として回動し、前記錠剤取出口を開閉する蓋部とを含んで構成され、前記送出部と前記蓋部とで形成される凹部が錠剤振出スペースを形成し、
前記操作部は、一部が外部に露出し、押圧操作することにより前記付勢部に押圧力を伝達し、
前記付勢部は、弾性を賦与して形成され、一端部は前記操作部に連続し他端部は前記送出部に連続して形成され、
前記送出部は、前記錠剤送出機構が休止位置から錠剤取出位置に移行する際に前記蓋部を回動させ前記錠剤振出スペースに位置する錠剤を送り出すとともに前記錠剤収容空間と前記錠剤振出スペースとを遮断し、
前記蓋部は、前記送出部が錠剤を送り出す動きに連動して回動し前記錠剤取出口を開口させて錠剤を取り出し可能とし、取出し後に前記操作部の押圧力を解除すると前記付勢部の付勢力により前記錠剤取出口を閉鎖し原状に復帰することを特徴とする振出容器。
【請求項２】
前記錠剤送出機構を構成する操作部と付勢部と送出部と蓋部を一体成形により形成したことを特徴とする請求項１に記載の振出容器。
【請求項３】
前記錠剤送出機構において、前記操作部の枢着部を中心とする傾動と前記短軸を中心とする前記蓋部の回動とを連動させることにより、錠剤外寸よりも少ない操作量で錠剤を取出すことを特徴とする請求項１または２に記載の振出容器。
【請求項４】
前記蓋部が短軸を中心に回動し錠剤取出位置まで開くと、前記送出部は前記錠剤収容空間と前記錠剤振出スペースとを遮断し、前記錠剤振出スペースに収容された個数のみが取出されることを特徴とする請求項１乃至３いずれか一項に記載の振出容器。
【請求項５】
前記ハウジングを偏平に形成し、前記ハウジングの錠剤収容空間における同一平面上において錠剤の移動、取出しを行うようにすることを特徴とする請求項１乃至４いずれか一項に記載の振出容器。
【考案の詳細な説明】
【技術分野】
【０００１】本考案は、容器に収容された内容物、たとえば、タブレット状の内容物を片手の操作により所定個数ずつ取出すのに好都合な振出容器に関するものである。
【背景技術】
【０００２】振出容器に設けた取出口から容器に収容された錠剤、粒状・玉状の菓子等の内容物（以下、本明細書では「錠剤」という。）を取出すにあたり、片手による簡単な操作で所定数の錠剤を確実に取出すことができる、偏平にして小型の容器の出現が望まれている。【０００３】従来、容器本体と蓋体とを相対スライド可能に連結し、内部に複数の錠剤を収容する収容空間を備えた振出容器や（特許文献１）、ハウジング内に錠剤容器を有し、錠剤容器が往復式に摺動可能に取り付けられ、錠剤容器を休止位置から錠剤分配位置へスプリングの作用に抗して移動可能に形成し錠剤を個々に分配する錠剤ディスペンサー（特許文献２）が提案されている。
【先行技術文献】
【０００４】
【特許文献１】  特開２００９−８３８９８号公報
【特許文献２】  特開２００８−５３９１４４号公報
【考案の概要】
【考案が解決しようとする課題】
【０００５】しかしながら、特許文献１に開示された振出容器にあっては、
（１）容器本体の床部は容器本体裏面に対し上げ底に形成され、休止位置から取出位置へ      操作する際に、容器本体と蓋体を相対移動させるために操作時には通例両手を使う      必要があり、手先が不自由な使用者にとっては利便性に欠ける、
（２）内容物の収容空間から取出空間が一段下る構造のため、内容物約２個分の高さを必      要とし容器が嵩張る、
等の問題点があった。【０００６】また特許文献２に開示された錠剤ディスペンサーにあっては、
（１）錠剤容器は、容器が開口第１端部の方に位置する休止位置と、閉鎖第２端部の方に    位置する錠剤分配位置との間を往復式に摺動可能にハウジング内に装着されているた    め、スプリングの付勢力に抗しながら錠剤容器を休止位置から錠剤分配位置へ操作す    る際に容器とハウジング全体の摺動面の摩擦抵抗が大きく使用者が手先が不自由な場    合には使い勝手が悪い、
（２）ハウジングの内側を錠剤容器が往復式に摺動する構造に形成され二重構造となって    いるため製造に要する材料が増えるとともに、ハウジング内を往復する錠剤容器のス    トローク分の内部スペースを必要としハウジングが深度の深いものとなり、スモール    サイズの錠剤ディスペンサーを形成することが難しく、金型構成も複雑になり製造・    組立に困難性が伴う、
等の問題点があった。【０００７】したがって、本考案の目的は、ハウジングを形成する本体と蓋体とが略同形に形成され、本体と蓋体が一体化されると側面視においてハウジングが左右対称の形状に形成されるとともに錠剤取出口がハウジングの外周壁に沿って開口して形成されているため、使用者の利き手が左右いずれであっても利き手により取出しの利便性が左右されることがない振出容器を提供することにある。【０００８】本考案の他の目的は、内容物を取出す際に、錠剤取出口に振って寄せる操作に加え操作部を押込むだけで所定数の錠剤が取出せるため使い勝手のよい振出容器を提供することにある。【０００９】本考案のもう一つ他の目的は、容器内の操作部の動作範囲が最低限の傾動のみであるため、市場流通品と同等の外寸で相当数の錠剤を収容できる振出容器を提供することにある。【００１０】本考案のさらにもう一つ他の目的は、錠剤送出機構をハウジングの一端部側に集中して配設し、錠剤はハウジングの外周側壁に形成された錠剤取出口までハウジング外周壁に沿って導出されながら操作部と一体に形成された送出部により直接押し出されるため、錠剤送出機構を構成する部品並びに部材が少なくハウジング内の錠剤収容スペースを大きく取ることができる振出容器を提供することにある。【００１１】本考案のさらにもう一つ他の目的は、操作部を押込むことにより操作部と一体をなす付勢部を介して送出部を送り出す力を加えると、送出部と連動する蓋部が回動して錠剤取出口が開口し、一方、操作部への押圧力を解除すると錠剤取出口が閉鎖する構造に形成され、錠剤取出口の開口、閉鎖の切換え節度が良好な振出容器を提供することにある。
【課題を解決するための手段】
【００１２】本考案に係る振出容器は、内部に錠剤収容空間を備えたハウジングと、該ハウジングの外周側壁に開口して形成された錠剤取出口と、前記ハウジングの外周側壁における前記錠剤取出口の形成位置の反対側の位置に形成された切欠きと、前記ハウジング内に収容される錠剤を前記錠剤取出口へ送り出す錠剤送出機構を備えている。前記錠剤送出機構は、前記切欠きの一端に枢着され傾動する操作部と、該操作部を外方に向けて付勢し、かつ、前記操作部を押圧操作することにより前記錠剤送出機構を休止位置から錠剤取出位置に移行させる付勢部と、該付勢部と協動して錠剤を錠剤取出位置まで送り出す送出部と、前記ハウジングに形成され回動する蓋部の回動軸を形成する短軸と、該短軸を中心として回動し、前記錠剤取出口を開閉する蓋部とを含んで構成され、前記送出部と前記蓋部とで形成される凹部が錠剤振出スペースを形成している。前記操作部は、一部が外部に露出し、押圧操作することにより前記付勢部に押圧力を伝達する。前記付勢部は、弾性を賦与して形成され、一端部は前記操作部に連続し他端部は前記送出部に連続して形成されている。前記送出部は、前記錠剤送出機構が休止位置から錠剤取出位置に移行する際に前記蓋部を回動させ前記錠剤振出スペースに位置する錠剤を送り出すとともに、前記錠剤収容空間と前記錠剤振出スペースとを遮断する。前記蓋部は、前記送出部が錠剤を送り出す動きに連動して回動し前記錠剤取出口を開口させて錠剤を取り出し可能とし、取出し後に前記操作部の押圧力を解除すると前記付勢部の付勢力により前記錠剤取出口を閉鎖し原状に復帰する。【００１３】前記錠剤送出機構を構成する操作部と付勢部と送出部と蓋部は一体成形により形成される。【００１４】前記錠剤送出機構において、前記操作部の枢着部を中心とする傾動と前記短軸を中心とする前記蓋部の回動とを連動させることにより、錠剤外寸よりも少ない操作量で錠剤を取出すことができる。【００１５】前記蓋部が短軸を中心に回動し錠剤取出位置まで開くと、前記送出部は前記錠剤収容空間と前記錠剤振出スペースとを遮断し、前記錠剤振出スペースに収容された個数のみが取出される。【００１６】前記ハウジングは容器本体と蓋体を嵌合することによって形成され、錠剤を複数個収容可能とする錠剤収容空間が前記ハウジング内に形成される。【００１７】前記ハウジングを偏平に形成し、前記ハウジングの錠剤収容空間における同一平面上において錠剤の移動、取出しを行うようにする（前記ハウジング内における錠剤の移動、取出しは、前記操作部の枢着部と、前記蓋部の回動の中心となる短軸の鉛直面に一致する同一平面上において行われるよう構成する）。【００１８】前記ハウジングを透明もしくは半透明の素材で形成し、前記錠剤振出スペースに錠剤が送り込まれることが容器外部から視認できるようにしてもよい。【００１９】前記操作部並びに蓋部は押圧を解除すると原状に復帰する。【００２０】本考案に係る振出容器は熱可塑製材料を用いて作製することができる。好ましい熱可塑製材料は、たとえば、ポリアセタール、ポリオレフィン（ポリプロピレンおよびポリエチレン等）、ポリエステル（ポリブチレンテレフタレートおよびポリエチレンテレフタレート等）、ポリカーボネート、ポリスチレン、アクリロニトリルーブタジェンースチレン（ＡＢＳ）、およびこれらの混合物から選択される。
【考案の効果】
【００２１】上記構成を備えた本考案によれば次の効果を奏する。
本考案によれば次の効果を奏する。
（１）ハウジングを形成する本体と蓋体とが略同形に形成され、本体と蓋体が一体化されると側面視においてハウジングが左右対称の形状に形成されるとともに錠剤取出口がハウジングの外周側壁に沿って開口して形成されているため、使用者の利き手が左右いずれであっても利き手により取出しの利便性が左右されることがない振出容器が得られる。
（２）内容物を取出す際に、錠剤取出口に振って寄せる操作に加え操作部を押込むだけで所定数の錠剤が取出せるため使い勝手のよい振出容器が得られる。
（３）容器内の操作部の動作範囲が最低限の傾動のみであるため、市場流通品と同寸同数の錠剤を収容できる振出容器が得られる。
（４）錠剤送出機構がハウジングの端部に集中して配設され、錠剤はハウジングの外周壁に形成された錠剤取出口までハウジング外周壁に沿って導出されながら操作部と一体に形成された送出部により直接押し出されるため、錠剤送出機構を構成する部材が少なくハウジング内の錠剤収容スペースを大きく取ることができる振出容器が得られる。
（５）操作部を押込むことにより、操作部と一体をなす付勢部を介して送出部を送り出す力を加えると、付勢部と連動する蓋部が回動して錠剤取出口が開口し、一方、操作部の押圧力を解除すると錠剤取出口が閉鎖する構造に形成されているので、錠剤取出口の開口、閉鎖の切換え節度が良好な振出容器が得られる。
【図面の簡単な説明】
【００２２】
【図１】本考案の実施例に係る振出容器を片手に保持した状態を示し、振出容器が片手で操作可能なことを示す正面図である。
【図２】図１の振出容器を容器本体と蓋体とに分離した状態を示す斜視図である。
【図３】成型して得た容器本体の斜視図である。
【図４】図１の振出容器を構成する操作部が休止位置にあり、蓋体の一部を切り欠いて示す斜視図である。
【図５】振出容器が図４の状態にあるときの要部を示す正面略図である。
【図６】振出容器の操作部が図４の状態から錠剤取出し位置に移行した状態を示し、蓋体の一部を切り欠いて示す斜視図である。
【図７】振出容器が図６の状態にあるときの要部を示す正面略図である。
【考案を実施するための形態】
【実施例】
【００２３】以下に、本願の振出容器の実施例について図面を用いて説明する。【００２４】図１乃至図７において、振出容器１は、内部に錠剤収容空間３を備えたハウジング２と、該ハウジングの外周側壁に開口して形成された錠剤取出口４と、前記ハウジング内に収容される錠剤５を前記錠剤取出口へ送り出す錠剤送出機構２０を備えている。【００２５】前記ハウジング２は、容器本体１０と蓋体３０を嵌合することにより形成される。前記ハウジングの外周側壁における前記錠剤取出口４の形成位置の反対側の位置に切欠き３３が形成されている。【００２６】前記容器本体１０は、床部１１を備え、該床部の周囲には周壁始端１３と周壁終端１４を有する外周側壁１２が形成され、扁平なトレイ状に形成される（図２、図３）。この容器本体１０と蓋体３０を一体化すると、内部に錠剤収容空間３が形成され複数個の錠剤（内容物）５が収容される。【００２７】前記外周側壁１２の周壁終端１３は薄肉に形成され、後述の操作部２１の傾動に寄与する枢着部２８を形成している。【００２８】前記蓋体３０は、天板３１と、天板周囲に形成された外周側壁３２より形成される。前記蓋体３０を本体容器１０に取り付けた時、前記蓋体３０の外周側壁３２を前記容器本体１０の外周側壁１２の外側に位置させて嵌合し一体化する。前記天板３１と外周壁３２の一部を切り欠いて前記切欠き３３が形成されている。【００２９】前記錠剤送出機構２０は、前記切欠き３３の一端の周壁始端１３に設けられた枢着部２８に枢着され傾動する操作部２１と、該操作部を外方に向けて付勢し、かつ、前記操作部を押圧操作することにより前記錠剤送出機構２０を休止位置から錠剤取出位置に移行させる付勢部２２と、該付勢部と協動して錠剤を錠剤取出位置まで送り出す送出部２３と、前記ハウジング２に形成され回動する蓋部の回動軸を形成する短軸２６と、該短軸を中心として回動し、前記錠剤取出口４を開閉する蓋部２４とを含んで構成され、前記送出部２３と前記蓋部２４とで形成される凹部が錠剤振出スペース２５を形成している。【００３０】前記操作部２１は、前記蓋体３０の切欠部３３より一部が外部に露出するよう形成され、周壁始端１３に設けられた枢着部２８を中心として傾動し押圧力を付勢部２２に伝達する機能を有している。【００３１】前記付勢部２２は、弾性を賦与して形成され、一端部は前記操作部２１に連続し他端部は前記送出部２３に連続して形成されている。【００３２】前記送出部２３は、前記付勢部２２の他端部を湾曲して形成され、前記錠剤送出機構２０が休止位置から錠剤取出位置に移行する際に前記蓋部２４を回動させ前記錠剤振出スペース２５に位置する錠剤を送り出すとともに、前記錠剤収容空間３と前記錠剤振出スペース２５とを遮断する。前記錠剤振出スペース２５には少なくとも振り出される１個の錠剤が収容される。図２乃至７では錠剤が１個当て収容される。【００３３】前記蓋部２４は、前記送出部２３の先端をカール（曲折）して形成され、前記送出部２３が錠剤５を送り出す動きに連動して容器本体１０側に立設した短軸２６を中心に回動すると前記錠剤取出口４を開口させて錠剤５を取出し可能な状態に置く。錠剤取出し後に前記操作部２１の押圧操作を解除すると前記付勢部２２の付勢力により短軸を中心に前記蓋部２４は回動して前記錠剤取出口４は閉じる。【００３４】次に図４乃至図７を参照して、振出容器１から錠剤５が所定数振り出される機構について説明する。【００３５】図４及び図５に示す状態では操作部２１は休止位置にあり付勢部２２により取出蓋部２４が蓋体３０の錠剤取出口４を塞いでおり錠剤振出スペース２５と錠剤収容空間３は連通し錠剤振出スペース２５は錠剤収容空間３の一部を形成した状態にある。この状態で振出容器１を錠剤取出口４側に傾けると錠剤５の所定数（ここでは１個）が錠剤振出スペース２５に収容される。【００３６】図４及び図５の状態にある操作部２１を操作し送出部２３を周壁終端１４に衝接する位置まで傾動させると（図６及び図７）、錠剤振出スペース２５は錠剤取出口４と連通する。この状態では錠剤振出スペース２５内の錠剤５は錠剤収容空間３の他の錠剤５から隔離される。かくして、錠剤取出口４から取出される錠剤は錠剤振出スペース２５に取り込まれた個数の錠剤のみである。図６及び図７では常に錠剤１個だけが取出されることになる。【００３７】かくして、振出容器１によれば片手での操作によって振出容器から錠剤（内容物）を取出すことができる。
【符号の説明】
【００３８】１          振出容器
２          ハウジング
３          錠剤収容空間
４          錠剤取出口
５          錠剤
１０        容器本体
１１        床部
１２        外周側壁
１３        周壁始端
１４        周壁終端
２０        錠剤送出機構
２１        操作部
２２        付勢部
２３        送出部
２４        蓋部
２５        錠剤振出スペース
２６        短軸
２８        枢着部
３０        蓋体
３１        天板
３２        外周側壁
３３        切欠き
【図１】
0003163525.tif 000003
【図２】
0003163525.tif 000004
【図３】
0003163525.tif 000005
【図４】
0003163525.tif 000006
【図５】
0003163525.tif 000007
【図６】
0003163525.tif 000008
【図７】
0003163525.tif 000009